【手続補正書】
【提出日】平成31年4月18日(2019.4.18)
【手続補正１】
【補正対象書類名】特許請求の範囲
【補正対象項目名】全文
【補正方法】変更
【補正の内容】
【特許請求の範囲】
【請求項１】
第１のアプリケーションにおいてユーザの第１のログイン状態が確立された後に、ユーザのログインデバイスのデバイス識別子情報を取得し、前記デバイス識別子情報を前記第１のログイン状態と関連付けるステップ（１０４）と；
前記デバイス識別子情報と前記第１のログイン状態とを第２のアプリケーションのサーバへ送信するステップ（１０５）であって、前記第２のアプリケーションは、前記第１のアプリケーションに関連付けられた信頼できるログインのアプリケーションであり、その結果、前記サーバは、前記第２のアプリケーションにおける前記ユーザの第２のログイン状態を前記第１のログイン状態に従って確立し、前記デバイス識別子情報を前記第２のログイン状態と関連付ける（１０６）、前記送信するステップ（１０５）と；を備える、
信頼できるログイン方法。
【請求項２】
前記ユーザのログインデバイスのデバイス識別子情報を取得するステップは、
デバイス情報とログイン情報とに従って、前記デバイス識別子情報を生成するステップを備える、
請求項１に記載のログイン方法。
【請求項３】
前記デバイス識別子情報と前記第１のログイン状態とを前記第２のアプリケーションのサーバへ送信するステップの後に：
前記サーバから送信された前記第１のログイン状態についての有効性照会要求を受信し、前記第１のログイン状態の有効性を前記サーバにフィードバックするステップをさらに備える、
請求項１に記載のログイン方法。
【請求項４】
前記第１のログイン状態を前記第２のアプリケーションのサーバへ送信するステップは、
前記ユーザが前記第１のアプリケーションにログインしたことを示す情報を送信するステップを備える、
請求項１に記載のログイン方法。
【請求項５】
第１のアプリケーションのサーバから送信された第１のログイン状態と、デバイス識別子情報とを受信するステップ（１０５）であって、前記第１のアプリケーションは第２のアプリケーションに関連付けられた信頼できるログインのアプリケーションであり、前記第１のログイン状態は、ユーザが前記第１のアプリケーションにログインしていることを表し、前記デバイス識別子情報は、前記ユーザが前記第１のアプリケーションにログインしているログインデバイスを表すために用いられる、前記受信するステップ（１０５）と；
前記第１のログイン状態に従って、前記第２のアプリケーションにおいて前記ユーザの第２のログイン状態を確立するステップと；
前記デバイス識別子情報と前記第２のログイン状態を関連付けて保存するステップ（１０６）と；
前記第２のアプリケーションに対するアプリケーションアクセス要求の受信の際（１０８）、前記アプリケーションアクセス要求を送信しているデバイスの識別子情報と、これに対応する第２のログイン状態とが保存されたと判定された場合に、アプリケーションアクセス応答を返すステップ（１１１）と；を備える、
信頼できるログイン方法。
【請求項６】
前記第２のアプリケーションにおいて前記ユーザの第２のログイン状態を確立するステップの後に：
前記第１のログイン状態と前記第２のログイン状態との間の対応関係を確立するステップをさらに備え、
前記アプリケーションアクセス要求を送信する前記デバイスの識別子情報と、これに対応する第２のログイン状態とが保存されたと判定された後、且つ、前記アプリケーションアクセス応答を返すステップの前に：
前記第１のログイン状態についての有効性照会要求を前記サーバへ送信し、前記第１のログイン状態と前記第２のログイン状態とが有効であると判定するステップをさらに備える、
請求項５に記載のログイン方法。
【請求項７】
第１のアプリケーションにおいてユーザの第１のログイン状態が確立された後に、ユーザのログインデバイスのデバイス識別子情報を取得し、前記デバイス識別子情報を前記第１のログイン状態と関連付けるように構成されたログイン状態生成モジュール（３１）と；
前記デバイス識別子情報と前記第１のログイン状態とを第２のアプリケーションのサーバに送信するように構成されたログイン状態同期モジュール（３２）であって、前記第２のアプリケーションは、前記第１のアプリケーションに関連付けられた信頼できるログインのアプリケーションであり、その結果、前記サーバは、前記第１のログイン状態に従って、前記第２のアプリケーションにおける前記ユーザの第２のログイン状態を確立し、前記デバイス識別子情報を前記第２のログイン状態と関連付ける、前記ログイン状態同期モジュール（３２）と；を備える、
信頼できるログイン装置。
【請求項８】
前記ユーザのログインデバイスのデバイス識別子情報を取得する際に、前記ログイン状態生成モジュールは、具体的に、デバイス情報とログイン情報とに従って、前記デバイス識別子情報を生成するように構成された、
請求項７に記載のログイン装置。
【請求項９】
前記サーバから送信された前記第１のログイン状態についての有効性照会要求を受信し、前記第１のログイン状態の有効性を前記サーバにフィードバックするように構成されたログイン状態管理モジュール（３３）をさらに備える、
請求項７に記載のログイン装置。
【請求項１０】
前記第１のログイン状態を前記第２のアプリケーションのサーバへ送信することは、前記ユーザが前記第１のアプリケーションにログインしたことを示す情報を送信することを含む、
請求項７に記載のログイン装置。
【請求項１１】
第１のアプリケーションのサーバから送信された第１のログイン状態と、デバイス識別子情報とを受信するように構成されたログイン状態受信モジュール（５１）であって、前記第１のアプリケーションは第２のアプリケーションに関連付けられた信頼できるログインのアプリケーションであり、前記第１のログイン状態は、ユーザが前記第１のアプリケーションにログインしていることを表し、前記デバイス識別子情報は、前記ユーザが前記第１のアプリケーションにログインしているログインデバイスを表すために用いられる、前記ログイン状態受信モジュール（５１）と；
前記第１のログイン状態に従って、前記第２のアプリケーションにおいて前記ユーザの第２のログイン状態を確立し、前記デバイス識別子情報と前記第２のログイン状態を関連付けて保存するように構成されたログイン状態確立モジュール（５２）と；
前記第２のアプリケーションに対するアプリケーションアクセス要求の受信の際、前記アプリケーションアクセス要求を送信しているデバイスの識別子情報と、これに対応する第２のログイン状態とが保存されたと判定された場合に、アプリケーションアクセス応答を返すように構成されたアクセス管理モジュール（５３）と；を備える、
信頼できるログイン装置。
【請求項１２】
前記ログイン状態確立モジュールは、さらに、前記第２のアプリケーションにおいて前記ユーザの第２のログイン状態が確立された後に、前記第１のログイン状態と前記第２のログイン状態との間の対応関係を確立するように構成され、
前記アクセス管理モジュールは、さらに、前記アプリケーションアクセス要求を送信する前記デバイスの識別子情報と、これに対応する第２のログイン状態とが保存されたと判定された後、且つ、前記アプリケーションアクセス応答を返す前に、前記第１のログイン状態についての有効性照会要求を前記サーバへ送信し、前記第１のログイン状態と前記第２のログイン状態とが有効であると判定するように構成された、
請求項１１に記載のログイン装置。
【手続補正２】
【補正対象書類名】明細書
【補正対象項目名】００３８
【補正方法】変更
【補正の内容】
【００３８】
上記は本願の好ましい実施の形態にすぎず、本願を限定することを意図するものではない。本願の精神及び原理の範囲内において行われる任意の変形、同等物の置換、及び改良等は、本願の保護範囲内に含まれるべきものである。
［第１の局面］
信頼できるログイン方法であって：
第１のアプリケーションにおけるユーザの第１のログイン状態を確立した後に、ユーザのログインデバイスのデバイス識別子情報を取得し、前記デバイス識別子情報を前記第１のログイン状態と関連付けるステップと；
前記デバイス識別子情報と前記第１のログイン状態とを第２のアプリケーションのサーバへ送信するステップであって、前記第２のアプリケーションは、前記第１のアプリケーションに関連付けられた信頼できるログインのアプリケーションであるので、前記サーバは、前記第２のアプリケーションにおける前記ユーザの第２のログイン状態を前記第１のログイン状態に従って確立し、前記デバイス識別子情報を前記第２のログイン状態と関連付ける、送信するステップと；を備える、
信頼できるログイン方法。
［第２の局面］
前記ユーザのログインデバイスのデバイス識別子情報を取得するステップは、デバイス情報とログイン情報とに従って前記デバイス識別子情報を生成するステップを備える、
第１の局面に記載の方法。
［第３の局面］
前記第２のアプリケーションのサーバに送信するステップの後に、
前記サーバから送信された前記第１のログイン状態についての有効性照会要求を受信し、前記第１のログイン状態の有効性を前記サーバにフィードバックするステップをさらに備える、
第１の局面に記載の方法。
［第４の局面］
信頼できるログイン方法であって：
第１のアプリケーションのサーバから送信された第１のログイン状態と、デバイス識別子情報とを受信するステップであって、前記第１のアプリケーションは第２のアプリケーションに関連付けられた信頼できるログインのアプリケーションであり、前記第１のログイン状態は、ユーザが前記第１のアプリケーションにログインしていることを表し、前記デバイス識別子情報は、前記ユーザが前記第１のアプリケーションにログインしているログインデバイスを表すために用いられる、受信するステップと；
前記第１のログイン状態に従って、前記第２のアプリケーションにて前記ユーザの第２のログイン状態を確立し、前記デバイス識別子情報と前記第２のログイン状態を関連付けて、保存するステップと；
前記第２のアプリケーションに対するアプリケーションアクセス要求の受信に際して、前記アプリケーションアクセス要求を送信しているデバイスの識別子情報と、これに対応する第２のログイン状態とが保存されたと判定された場合に、アプリケーションアクセス応答を返すステップと；を備える、
信頼できるログイン方法。
［第５の局面］
前記第２のアプリケーションでの前記ユーザの第２のログイン状態の確立後に、前記第１のログイン状態と前記第２のログイン状態との間の対応関係を確立するステップをさらに備え、
前記アプリケーションアクセス要求を送信する前記デバイスの前記識別子情報と、前記これに対応する第２のログイン状態とが保存されたと判定された後、且つ、前記アプリケーションアクセス応答を返す前に、前記第１のログイン状態についての有効性照会要求を前記サーバへ送信し、前記第１のログイン状態と、前記第２のログイン状態とが有効であると判定するステップをさらに備える、
第４の局面に記載の方法。
［第６の局面］
信頼できるログイン装置であって：
第１のアプリケーションでのユーザの第１のログイン状態の確立後に、ユーザのログインデバイスのデバイス識別子情報を取得し、前記デバイス識別子情報を前記第１のログイン状態と関連付けるように構成されているログイン状態生成モジュールと；
前記デバイス識別子情報と第１のログイン状態とを第２のアプリケーションのサーバに送信するように構成されたログイン状態同期モジュールであって、前記第２のアプリケーションは、前記第１のアプリケーションに関連付けられた信頼できるログインのアプリケーションであるので、前記サーバは、前記第１のログイン状態に従って、前記第２のアプリケーションにおける前記ユーザの第２のログイン状態を確立し、前記デバイス識別子情報を前記第２のログイン状態と関連付ける、ログイン状態同期モジュールと；を備える、
信頼できるログイン装置。
［第７の局面］
前記ユーザのログインデバイスの前記デバイス識別子情報を取得する際に、前記ログイン状態生成モジュールは、具体的に、デバイス情報とログイン情報とに従って、前記デバイス識別子情報を生成するように構成されている、
第６の局面に記載の装置。
［第８の局面］
前記サーバから送信された前記第１のログイン状態についての有効性照会要求を受信し、前記第１のログイン状態を前記サーバにフィードバックするように構成されたログイン状態管理モジュールをさらに備える、
第６の局面に記載の装置。
［第９の局面］
信頼できるログイン装置であって：
第１のアプリケーションのサーバから送信された第１のログイン状態と、デバイス識別子情報とを受信するように構成されたログイン状態受信モジュールであって、前記第１のアプリケーションは第２のアプリケーションに関連付けられた信頼できるログインのアプリケーションであり、前記第１のログイン状態は、ユーザが前記第１のアプリケーションにログインしていることを表し、前記デバイス識別子情報は、前記ユーザが前記第１のアプリケーションにログインしているログインデバイスを表すために用いられる、ログイン状態受信モジュールと；
前記第１のログイン状態に従って、前記第２のアプリケーションでの前記ユーザの第２のログイン状態を確立し、前記デバイス識別子情報と前記第２のログイン状態とを関連付けて、保存をするように構成されたログイン状態確立モジュールと；
前記第２のアプリケーションに対するアプリケーションアクセス要求の受信に際して、前記アプリケーションアクセス要求を送信しているデバイスの識別子情報と、これに対応する第２のログイン状態とが保存されたと判定された場合に、アプリケーションアクセス応答を返すように構成されたアクセス管理モジュールと；を備える、
信頼できるログイン装置。
［第１０の局面］
前記ログイン状態確立モジュールは、さらに、前記第２のアプリケーションでの前記ユーザの前記第２のログイン状態が確立された後に、前記第１のログイン状態と前記第２のログイン状態の間の対応関係を確立するように構成され、
前記アクセス管理モジュールは、さらに、前記アプリケーションアクセス要求を送信している前記デバイスの前記識別子情報と、これに対応する第２のログイン状態とが保存されたと判定された後、且つ、前記アプリケーションアクセス応答を返す前に、前記第１のログイン状態についての有効性照会要求を前記サーバへ送信し、前記第１のログイン状態と前記第２のログイン状態とが有効であると判断するように構成されている、
第９の局面に記載の装置。